(57)【要約】【課題】生体情報の検出精度を向上させることができる生体情報測定装置及び生体情報検出センサーを提供すること。【解決手段】生体情報測定装置は、ユーザーの体と接触する接触部を有するハウジングと、ユーザーの体に向けて光を出射する発光部と、ユーザーの体で反射された反射光を受光する受光部と、受光部からの信号を処理して生体情報を決定する処理部と、接触部に配置され、発光部が出射する光、及び、受光部に入射される光を透過する透光性部材と、を備え、発光部及び受光部は、透光性部材に配置されている。【選択図】図５
2019111193.tif 000002
【特許請求の範囲】
【請求項１】
ユーザーの体と接触する接触部を有するハウジングと、
前記ユーザーの体に向けて光を出射する発光部と、
前記ユーザーの体で反射された反射光を受光する受光部と、
前記受光部からの信号を処理して生体情報を決定する処理部と、
前記接触部に配置され、前記発光部が出射する光、及び、前記受光部に入射される光を透過する透光性部材と、を備え、
前記発光部及び前記受光部は、前記透光性部材に配置されていることを特徴とする生体情報測定装置。
【請求項２】
請求項１に記載の生体情報測定装置において、
前記透光性部材は、
前記ユーザーの体と接触可能な第１面と、
前記第１面と向かい合い、前記発光部及び前記受光部が配置された第２面と、を有することを特徴とする生体情報測定装置。
【請求項３】
請求項２に記載の生体情報測定装置において、
前記透光性部材は、前記第２面から前記第１面へ向かう方向に突出し、前記第１面から前記第２面へ向かう方向に沿って見て前記発光部と重なる凸部を有することを特徴とする生体情報測定装置。
【請求項４】
請求項２又は請求項３に記載の生体情報測定装置において、
前記透光性部材は、前記第１面から前記第２面へ向かう方向に窪み、前記第１面から前記第２面へ向かう方向に沿って見て前記受光部と重なる凹部を有することを特徴とする生体情報測定装置。
【請求項５】
請求項２から請求項４のいずれか一項に記載の生体情報測定装置において、
前記処理部と前記第２面とを接続する接続部を有し、
前記第２面は、前記接続部と前記発光部及び前記受光部とを電気的に接続する電極パターンを有することを特徴とする生体情報測定装置。
【請求項６】
請求項１から請求項５のいずれか一項に記載の生体情報測定装置において、
前記発光部は、
光を出射する発光素子と、
前記発光素子を覆い、前記発光素子から入射した光を前記ユーザーの体に向けて反射する凹曲面を有する反射部材と、を有することを特徴とする生体情報測定装置。
【請求項７】
請求項１から請求項６のいずれか一項に記載の生体情報測定装置において、
前記透光性部材は、ガラス基板及び透明樹脂のいずれかであることを特徴とする生体情報測定装置。
【請求項８】
請求項１から請求項７のいずれか一項に記載の生体情報測定装置において、
前記透光性部材は、前記発光部から出射された光、及び、前記受光部に入射する光の通過領域を除く位置に設けられ、光を遮蔽する遮蔽領域を有することを特徴とする生体情報測定装置。
【請求項９】
ユーザーの生体情報を測定する生体情報測定装置に用いられる生体情報検出センサーであって、
前記ユーザーの体と接触可能な第１面、及び、前記第１面と向かい合う面である第２面を有する透光性部材と、
前記第２面に位置し、前記第２面側から前記第１面側へ光を出射する発光部と、
前記第２面に位置し、前記第１面側から前記第２面側へ進行する光を受光する受光部と、を備え、
前記透光性部材は、
少なくとも前記発光部から出射された光、及び、前記受光部に入射する光が通過する通過領域と、
前記通過領域を除く位置に設けられ、光を遮蔽する遮蔽領域と、を有することを特徴とする生体情報検出センサー。
【発明の詳細な説明】
【技術分野】
【０００１】
本発明は、生体情報測定装置及び生体情報検出センサーに関する。
【背景技術】
【０００２】
従来、生体の脈波等の生体情報を測定可能な測定装置が知られている。このような測定装置として、生体に光を出射する発光部、及び、生体にて反射された光を受光する受光部を有するセンサーと、当該センサーが取り付けられる基板と、センサーが生体に直接接触することを抑制する接触部と、仕切材と、を備えた測定装置が知られている（例えば、特許文献１参照）。
この特許文献１に記載の測定装置において、仕切材は、受光部が生体内部からの光を受光する際に、当該生体内部からの光以外の光（例えば、生体表面からの反射光）を受光することを抑制する。この仕切材は、センサーの上面と接触する領域を有するセンサー接触面と、測定時に生体と接触する生体接触面と、光の通過を遮る遮光面と、を有する。
【先行技術文献】
【特許文献】
【０００３】
【特許文献１】特開２０１７−１４８１３９号公報
【発明の概要】
【発明が解決しようとする課題】
【０００４】
ここで、生体からの反射光が受光部に到達するまでの距離が長いと、当該反射光の減衰が生じて、受光部による受光光量が低下するという問題がある。例えば、上記特許文献１に記載の測定装置では、生体情報の測定時に、上記センサー接触面がセンサーの上面と接触する仕切部における生体接触面が生体と接触するため、上記距離が長くなりやすく、受光部による受光光量が低下しやすい。そして、受光部による受光光量が低下すると、生体情報の検出精度が低下するという問題が更に生じる。
【０００５】
本発明は、上記課題の少なくとも一部を解決することを目的としたものであり、生体情報の検出精度を向上させることができる生体情報測定装置及び生体情報検出センサーを提供することを目的の１つとする。
【課題を解決するための手段】
【０００６】
本発明の第１態様に係る生体情報測定装置は、ユーザーの体と接触する接触部を有するハウジングと、前記ユーザーの体に向けて光を出射する発光部と、前記ユーザーの体で反射された反射光を受光する受光部と、前記受光部からの信号を処理して生体情報を決定する処理部と、前記接触部に配置され、前記発光部が出射する光、及び、前記受光部に入射される光を透過する透光性部材と、を備え、前記発光部及び前記受光部は、前記透光性部材に配置されていることを特徴とする。
【０００７】
このような構成によれば、ハウジングにおいてユーザーの体と接触する接触部に設けられ、発光部が出射する光、及び、受光部に入射される光を透過する透光性部材に、発光部及び受光部が配置される。これによれば、特許文献１のような構成に比べて、透光性部材と発光部及び受光部との間の距離を短くすることができる。このため、接触部が接触するユーザーの体に発光部から出射される光の減衰、及び、ユーザーの体にて反射されて受光部によって受光される光の減衰を抑制できる。従って、生体情報測定装置による生体情報の検出及び測定精度を向上させることができ、測定された生体情報の正確性を向上させることができる。
また、透光性部材と発光部及び受光部との間の距離を短くすることができることから、生体情報測定装置の薄型化を図ることができる。
【０００８】
上記第１態様では、前記透光性部材は、前記ユーザーの体と接触可能な第１面と、前記第１面と向かい合い、前記発光部及び前記受光部が配置された第２面と、を有することが好ましい。
なお、第１面と向かい合う第２面は、第１面とは反対側の面である。また、透光性部材は、板状部材とすることができ、板状部材には、第１面及び第２面の少なくともいずれかが曲面状に形成された部材も含まれる。
上記構成によれば、発光部及び受光部は、透光性部材においてユーザーと接触する第１面と向かい合う第２面に配置される。これによれば、発光部及び受光部がハウジングの外部に露出されることを確実に抑制できる。従って、発光部及び受光部を保護できる。
また、第１面は、ユーザーの体と接触可能であるので、透光性部材とユーザーの体との間の距離も短くすることができる。このため、発光部からユーザーの体に到達する光の光路長、及び、ユーザーの体から受光部に到達する光の光路長を短くすることができるので、上記した光の減衰を一層抑制できる。従って、生体情報測定装置による生体情報の測定精度を一層向上させることができ、測定された生体情報の正確性を一層向上させることができる。
【０００９】
上記第１態様では、前記透光性部材は、前記第２面から前記第１面へ向かう方向に突出し、前記第１面から前記第２面へ向かう方向に沿って見て前記発光部と重なる凸部を有することが好ましい。
このような構成によれば、発光部と重なる凸部を、発光部から出射された光に作用する凸レンズとして機能させることができる。このため、凸部のレンズ効果によって、発光部から出射された光を拡散させることができる。従って、発光部から出射された光をユーザーの体に効率よく出射でき、生体情報の測定精度を高めることができる。
【００１０】
上記第１態様では、前記透光性部材は、前記第１面から前記第２面へ向かう方向に窪み、前記第１面から前記第２面へ向かう方向に沿って見て前記受光部と重なる凹部を有することが好ましい。
このような構成によれば、受光部と重なる凹部を、受光部に入射される光に作用する凹レンズとして機能させることができる。このため、ユーザーの体にて反射されて拡散される光を、凹部のレンズ効果によって受光部に集光できる。従って、受光部に光を効率よく入射させることができ、生体情報の測定精度を高めることができる。
【００１１】
上記第１態様では、前記処理部と前記第２面とを接続する接続部を有し、前記第２面は、前記接続部と前記発光部及び前記受光部とを電気的に接続する電極パターンを有することが好ましい。
なお、電極パターンは、例えば導電性物質の蒸着やパターン印刷によって第２面上に形成できる。
このような構成によれば、発光部への電力の供給及び受光部からの検出信号の伝達を、上記第２面に位置する電極パターンによって行うことができる。これによれば、発光部及び受光部に対してケーブルを介して電力供給及び信号伝達を行う場合に比べて、生体情報測定装置の構成を簡略化できる。従って、センサーの組立を容易に実施できる他、センサーの薄型化を図ることができる。
また、電極パターンと接続される接続部を介して、発光部及び受光部と処理部とを確実に接続できる。
【００１２】
上記第１態様では、前記発光部は、光を出射する発光素子と、前記発光素子を覆い、前記発光素子から入射した光を前記ユーザーの体に向けて反射する凹曲面を有する反射部材と、を有することが好ましい。
このような構成によれば、発光素子にて生じた光を凹曲面にて集光して出射できるので、ユーザーの体に効果的に照射できる。従って、発光素子から出射される光の利用効率を高めることができる。
また、反射部材は、発光素子を覆うので、発光素子から出射された光の一部が、ハウジング内の部品に入射されてしまうことを抑制できる。従って、不要な光が入射されることによる部品の劣化を抑制できる。
【００１３】
上記第１態様では、前記透光性部材は、ガラス基板及び透明樹脂のいずれかであることが好ましい。
このような構成によれば、ガラス基板は、一般的に強度が高いので、透光性部材がユーザーの体に接触する場合でも、透光性部材の形状を維持しやすくすることができる。また、ガラス基板は、一般的に安価であるので、生体情報測定装置の製造コストが上昇することを抑制できる。
また、透明樹脂によって形成された透光性部材は、比較的軽量に製造できるので、生体情報測定装置の重量の増加を抑制できる他、透明樹脂に色素等を混入させて透光性部材を製造することによって、フィルターとして利用することもできる。
【００１４】
上記第１態様では、前記透光性部材は、前記発光部から出射された光、及び、前記受光部に入射する光の通過領域を除く位置に設けられ、光を遮蔽する遮蔽領域を有することが好ましい。
このような構成によれば、遮蔽領域によって光が遮られるので、ハウジングの内部が外部から観察されることを抑制できる。従って、生体情報測定装置の外観を良好に構成できる。
【００１５】
本発明の第２態様に係る生体情報検出センサーは、ユーザーの生体情報を測定する生体情報測定装置に用いられる生体情報検出センサーであって、前記ユーザーの体と接触可能な第１面、及び、前記第１面と向かい合う面である第２面を有する透光性部材と、前記第２面に位置し、前記第２面側から前記第１面側へ光を出射する発光部と、前記第２面に位置し、前記第１面側から前記第２面側へ進行する光を受光する受光部と、を備え、前記透光性部材は、少なくとも前記発光部から出射された光、及び、前記受光部に入射する光が通過する通過領域と、前記通過領域を除く位置に設けられ、光を遮蔽する遮蔽領域と、を有することを特徴とする。
【００１６】
なお、上記と同様に、第１面と向かい合う第２面は、第１面とは反対側の面である。また、透光性部材は、板状部材とすることができ、板状部材には、第１面及び第２面の少なくともいずれかが曲面状に形成された部材も含まれる。
このような構成によれば、上記生体情報測定装置と同様の効果を奏することができる。すなわち、透光性部材において、ユーザーの体に接触可能な第１面と向かい合う第２面に、発光部及び受光部が位置するので、第１面と発光部及び受光部との間の距離を短くすることができる。このため、発光部からユーザーの体に出射される光の減衰、及び、ユーザーの体から受光部に到達して当該受光部にて受光される光の減衰を抑制できる。従って、生体情報の検出精度を向上させることができる。また、第１面と発光部及び受光部との間の距離（特に、透光性部材と発光部及び受光部との間の距離）を短くすることができることから、生体情報検出センサーの薄型化を図ることができる。
【図面の簡単な説明】
【００１７】
【図１】本発明の第１実施形態に係る生体情報測定装置の使用例を示す模式図。
【図２】上記第１実施形態における生体情報測定装置の外観を示す図。
【図３】上記第１実施形態における生体情報測定装置を示す背面図。
【図４】上記第１実施形態における生体情報測定装置の構成を示すブロック図。
【図５】上記第１実施形態におけるセンサーを光出射側とは反対側から見た図。
【図６】上記第１実施形態におけるセンサーを側方から見た図。
【図７】本発明の第２実施形態に係る生体情報測定装置が有するセンサーを光出射側から見た図。
【図８】本発明の第３実施形態に係る生体情報測定装置が有するセンサーを示す模式図。
【図９】上記第３実施形態におけるセンサーの発光部から出射された光の光路、及び、受光部によって受光される光の光路を示す模式図。
【発明を実施するための形態】
【００１８】
［第１実施形態］
以下、本発明の第１実施形態を、図面に基づいて説明する。
［生体情報測定装置の概略構成］
図１は、本実施形態に係る生体情報測定装置１Ａの使用例を示す模式図である。
本実施形態に係る生体情報測定装置１Ａ（以下、測定装置１Ａと略す場合がある）は、図１に示すように、ユーザーＵＳの体に装着されて利用され、当該ユーザーＵＳの生体情報を測定するウェアラブル機器である。具体的に、測定装置１Ａは、ユーザーＵＳの手首等の被装着部位ＵＳ１に装着されて利用され、当該ユーザーＵＳの脈波を生体情報として検出し、同じく生体情報である脈拍数を測定する。
【００１９】
図２は、測定装置１Ａの外観を示す図である。
このような測定装置１Ａは、図２に示すように、ハウジング２と、当該ハウジング２に設けられるバンドＢＮ１，ＢＮ２と、を備える。
なお、図２を含む以降の図において、ハウジング２の正面部２１から背面部２２に向かう方向を＋Ｚ方向とする。＋Ｚ方向に対して直交する二方向を＋Ｘ方向及び＋Ｙ方向とし、＋Ｘ方向を、正面部２１に対向する位置から見て９時方向とし、＋Ｙ方向を１２時方向とする。また、図示を省略するが、＋Ｚ方向とは反対方向を−Ｚ方向とする。−Ｘ方向及び−Ｙ方向も同様である。
【００２０】
バンドＢＮ１，ＢＮ２は、ハウジング２の±Ｙ方向側の端部に接続され、バンドＢＮ１は、ハウジング２に対して＋Ｙ方向側に延出し、バンドＢＮ２は、−Ｙ方向側に延出している。これらバンドＢＮ１，ＢＮ２は、中留（図示省略）によって互いに連結されることによって、ハウジング２が上記被装着部位ＵＳ１に装着される。なお、バンドＢＮ１，ＢＮ２は、ハウジング２と一体的に形成されていてもよい。
【００２１】
ハウジング２は、正面部２１、背面部２２（図３参照）及び側面部２３を有する。
正面部２１は、ハウジング２において−Ｚ方向側に位置する部位であり、ハウジング２において測定装置１Ａを装着したユーザーＵＳが視認可能な部位である。正面部２１の略中央には、後述する報知部５を構成する表示部５１が設けられ、当該表示部５１は、円形状のカバー２１１によって覆われている。
側面部２３は、＋Ｚ方向を中心とする周方向に沿って形成された環状部であり、正面部２１と背面部２２とを接続する。側面部２３における−Ｘ方向側の領域には、後述する操作部３を構成するボタン３１，３２が配置され、＋Ｘ方向側の領域には、同じく操作部３を構成するボタン３３，３４が配置されている。ボタン３１〜３４は、ハウジング２に対して突没するボタンである。
【００２２】
図３は、測定装置１Ａを示す背面図であり、詳しくは、ハウジング２の背面部２２を示す図である。なお、図３においては、上記ボタン３１〜３４の図示を省略している。
背面部２２は、ハウジング２において＋Ｚ方向側に位置する部位であり、ハウジング２においてユーザーＵＳの被接触部位と対向し、被接触部位（ユーザーＵＳの体）と接触する接触部である。
背面部２２の中央には、略環状の突出部２２１が形成されている。突出部２２１の中央には、円形状の開口部２２２が形成されている。開口部２２２の内側には、後述するセンサー８Ａを構成する発光部８４及び受光部８５が配置されている。
【００２３】
［ハウジング内の構成］
図４は、測定装置１Ａの構成を示すブロック図である。
測定装置１Ａは、ハウジング２の他、図４に示すように、操作部３、計測部４、報知部５、通信部６及び処理部７を有し、これらは、ハウジング２に設けられる。
操作部３は、上記ボタン３１〜３４を有し、ボタン３１〜３４の入力に応じた操作信号を、処理部７に出力する。
計測部４は、生体情報を検出して、検出結果を処理部７に出力する。計測部４は、生体情報として上記脈波を検出するセンサー８Ａを有し、当該センサー８Ａは、処理部７に検出結果である脈波信号（検出信号）を出力する。なお、センサー８Ａの構成については、後に詳述する。
【００２４】
報知部５は、処理部７による制御の下、各種情報をユーザーに報知する。報知部５は、表示部５１、音声出力部５２及び振動部５３を有する。
表示部５１は、液晶や電子ペーパー等の各種表示パネルを有し、処理部７から入力される情報を表示する。例えば、表示部５１は、上記計測部４によって検出されて解析された脈拍数を表示する。
音声出力部５２は、処理部７から入力される音声信号に応じた音声を出力する。
振動部５３は、処理部７により動作が制御されるモーターを有し、当該モーターの駆動によって発生する振動により、例えば警告をユーザーに報知する。
【００２５】
通信部６は、検出及び測定された生体情報を外部機器に送信する他、外部機器から受信される情報を、処理部７に出力する通信モジュールである。なお、本実施形態では、通信部６は、近距離無線通信方式により外部機器と無線で通信するが、クレードル等の中継装置やケーブルを介して外部機器と通信してもよい。更に、通信部６は、ネットワークを介して外部機器と通信してもよい。
【００２６】
処理部７は、演算処理回路やフラッシュメモリーを有する回路基板であり、操作部３、計測部４、報知部５及び通信部６と電気的に接続されている。処理部７は、自律的に、或いは、上記操作部３から入力される操作信号に応じて、測定装置１Ａの動作を制御する制御処理を実行する。この他、処理部７は、計測部４（センサー８Ａ）の動作を制御して、当該計測部４によって検出された生体情報の１つである脈波を示す脈波信号を解析し、生体情報の１つである脈拍数を決定する。
このような処理部７は、上記フラッシュメモリーによって構成される記憶部７１と、当該記憶部７１に記憶されたプログラムを実行する上記演算処理回路によって構成される解析部７２と、を有する。
【００２７】
記憶部７１は、測定装置１Ａの動作に必要な各種プログラム及びデータを記憶している。また、記憶部７１は、計測部４によって検出された脈波信号、及び、解析部７２によって解析された脈拍数を記憶する。
解析部７２は、計測部４から入力される脈波信号を解析して、脈拍数を決定する。具体的に、解析部７２は、脈波信号に対してＦＦＴ（高速フーリエ変換：Fast Fourier Transform）等の周波数解析を行い、得られた解析結果（パワースペクトル）から脈拍の周波数を抽出し、当該脈拍の周波数に基づいて脈拍数を算出する。なお、解析部７２は、このような脈拍数の算出に限らず、他の手法により脈拍数を算出してもよい。
【００２８】
［センサーの構成］
図５は、センサー８Ａを光出射側とは反対側から見た図であり、換言すると、センサー８Ａをハウジング２の内側から見た図である。また、図６は、センサー８Ａを側方から見た図である。
センサー８Ａは、本発明の生体情報検出センサーに相当する。このセンサー８Ａは、上記被装着部位ＵＳ１の体に光（検出光であり、例えば緑色光）を出射し、体にて反射された光を検出する光電センサー（反射型光電センサー）である。詳述すると、センサー８Ａは、検出光の強度変化を生体情報である脈波として検出し、検出された脈波を示す脈波信号（検出信号）を、接続部ＡＭを介して処理部７に出力する。
このようなセンサー８Ａは、図５及び図６に示すように、透光性部材８１Ａと、透光性部材８１Ａにそれぞれ位置する電極パターン８２、導電部８３、発光部８４、受光部８５及び封止部８６と、を備える。
【００２９】
［透光性部材の構成］
透光性部材８１Ａは、被装着部位ＵＳ１における体表面（例えば手首における手の甲側の体表面）に接触する接触部材でもある。透光性部材８１Ａは、上記開口部２２２（図３参照）を介して、ハウジング２の背面側（すなわち、測定装置１Ａが装着された場合の上記被装着部位ＵＳ１側）に露出しており、透光性部材８１Ａにおいてハウジング２外に露出する＋Ｚ方向側の面は、体表面に接触する接触面８１Ａ１（第１面）である。換言すると、ハウジング２の開口部２２２は、透光性部材８１Ａによって塞がれており、また、＋Ｚ方向側からの平面視において、ハウジング２の開口部２２２（詳しくは、開口部２２２の内側領域）と接触面８１Ａ１とは重なっている。
このような透光性部材８１Ａにおいて、接触面８１Ａ１と向き合う面（接触面８１Ａ１とは反対側の面）は、電極パターン８２、導電部８３、発光部８４及び受光部８５が設けられる実装面８１Ａ２（第２面）である。
そして、透光性部材８１Ａは、光が通過可能な透光性材料によって構成されている。詳述すると、透光性部材８１Ａは、発光部８４から出射された光、及び、受光部８５に入射される光を透過可能な透光性部材である。すなわち、透光性部材８１Ａは、光が通過可能な通過領域ＴＡ（図６）が設けられている。
なお、以下の説明では、透光性部材８１Ａとしてガラス基板を用いた例を説明する。しかしながら、これに限らず、透光性部材８１Ａは、透明樹脂により形成された樹脂基板であってもよく、サファイア基板等の他の透光性部材であってもよい。
【００３０】
［電極パターン及び導電部の構成］
電極パターン８２は、透明導電膜による透明電極であり、実装面８１Ａ２に複数形成されている。具体的に、電極パターン８２は、一端が導電部８３と接続され、他端が発光部８４の発光素子８４１と接続される電極パターン８２１，８２２と、一端が導電部８３と接続され、他端が受光部８５と接続される電極パターン８２３，８２４と、を含む。なお、電極パターン８２は、透明電極に限らず、パターン印刷や蒸着等によって形成された金属膜であってもよい。
導電部８３は、上記接続部ＡＭの端部が接続される部位である。この導電部８３は、各電極パターン８２１〜８２４と接するように配置された異方性導電フィルム（ＡＦＣ：Anisotropic Conductive Film）によって構成されている。このような導電部８３によって、各電極パターン８２１〜８２４と接続部ＡＭとが電気的に接続される。
【００３１】
なお、接続部ＡＭは、本実施形態では、フレキシブル基板（ＦＰＣ：Flexible Printed Circuits）により構成されており、当該接続部ＡＭには、ＡＦＥ（Analog Front End）であるアナログ回路ＡＭ１（図６参照）が実装されている。このアナログ回路ＡＭ１は、例えばアンプ、Ａ／Ｄコンバーター及びフィルターを有し、これらを介した検出信号を上記処理部７に出力する。このような接続部ＡＭとセンサー８Ａとを合わせて、回路基板である処理部７と接続されるセンサーモジュールということができる。
【００３２】
［発光部の構成］
発光部８４は、上記被接触部位に検出光を照射するものであり、上記実装面８１Ａ２に配置され、透光性部材８１Ａを介して上記接触面８１Ａ１側に光を出射する。この発光部８４は、発光素子８４１及び反射部材８４２を有する。
発光素子８４１は、発光面が実装面８１Ａ２を向く状態にて、上記電極パターン８２１，８２２上に配置されたバンプＢＰ（例えば金バンプや半田バンプ）によって固定されており、これら電極パターン８２１，８２２を介して供給される電流により、緑色の光を実装面８１Ａ２に向けて出射する。このため、発光素子８４１が出射した光は、透光性部材８１Ａの通過領域ＴＡを通過して、透光性部材８１Ａの接触面８１Ａ１から外部に出射される。
なお、本実施形態では、発光素子８４１は、ＬＥＤ素子であるが、有機ＥＬ素子等の他の発光素子であってもよい。
【００３３】
反射部材８４２は、発光素子８４１を実装面８１Ａ２にて覆い、発光素子８４１から出射された光のうち、ユーザーＵＳの体に向かわない光（例えば−Ｚ方向側に出射された光）を反射して、透光性部材８１Ａを介して透光性部材８１Ａの接触面８１Ａ１側（＋Ｚ方向側）に出射する。この反射部材８４２は、一端側が開口した凹曲面状に形成されており、内側の凹曲面８４２１は、反射面である。このような反射部材８４２は、透光性部材８１Ａを実装面８１Ａ２側（−Ｚ方向側）から見て発光素子８４１を覆うように実装面８１Ａ２に配置された状態にて、開口端が実装面８１Ａ２に固定される。すなわち、図５に示すように、実装面８１Ａ２から接触面８１Ａ１に向かう＋Ｚ方向に沿って見た場合（換言すると−Ｚ方向側から見た場合）に、反射部材８４２の凹曲面８４２１は、発光素子８４１と重なっている。また、図６に示すように、＋Ｚ方向に直交する方向である＋Ｙ方向に沿って見た断面視（換言するとＸＺ平面に沿う断面を見た場合）では、発光素子８４１は、凹曲面８４２１と実装面８１Ａ２とによって囲まれている。
【００３４】
なお、本実施形態では、反射部材８４２は少なくとも反射面が金属により形成されている。このため、反射部材８４２と電極パターン８２１，８２２とが接触すると、ショートする可能性が生じる。このため、反射部材８４２の開口端には、図示を省略するが、電極パターン８２１，８２２を避ける凹部が形成されており、これにより、反射部材８４２と電極パターン８２１，８２２とが接触することが抑制される。
ここで、通過領域ＴＡは、発光部８４が出射した光が通過する透光性部材８１Ａの領域、すなわち、＋Ｚ方向側からの平面視において、発光部８４と接触面８１Ａ１又は実装面８１Ａ２とが重なる領域を含む。
【００３５】
［受光部の構成］
受光部８５は、発光部８４から出射されてユーザーＵＳの体にて反射された光（反射光）を受光し、受光した光の強弱に応じた電圧の信号である脈波信号を出力する。この受光部８５は、光を検出する検出面８５１が実装面８１Ａ２側を向くように、上記発光部８４と同様にバンプＢＰによって当該実装面８１Ａ２に固定されている。
このように、発光部８４及び受光部８５は、電極パターン８２が形成された基板である透光性部材８１Ａの実装面８１Ａ２に対して、フェイスダウン方式によって実装される。
【００３６】
このような受光部８５は、検出面８５１を覆うカラーフィルター８５２及び角度制限フィルター８５３を有する。
カラーフィルター８５２は、発光部８４が出射する光と同じ波長域の光を透過し、当該波長域以外の波長の光を透過させないフィルターである。このようなカラーフィルター８５２が設けられていることによって、検出面８５１に上記反射光以外の光（例えば外光）が入射されて、検出光の検出精度が低下することが抑制される。
角度制限フィルター８５３は、入射角（検出面８５１の法線に対する入射光の角度）が所定値（例えば３０°）以下である光を透過させ、入射角が当該所定値を超える光の透過を抑制するフィルターである。このような角度制限フィルター８５３が設けられていることによって、発光部８４から出射された光が、発光部８４から受光部８５に直接入射されてしまうことが抑制される。
【００３７】
［封止部の構成］
封止部８６は、発光部８４及び受光部８５を覆うように上記実装面８１Ａ２に設けられ、発光部８４及び受光部８５を保護する機能を有する。詳述すると、封止部８６は、実装面８１Ａ２上に配置された発光部８４及び受光部８５を覆うように封止樹脂を設けることによって構成される。
なお、封止樹脂は、発光部８４を構成する凹曲面状の反射部材８４２の内側に無いことが好ましいが、封止樹脂が透明な場合には、当該封止樹脂は反射部材８４２の内側に充填されていてもよい。一方、発光部８４として、発光素子８４１と反射部材８４２の内面との間に予め樹脂が充填されたものを採用してもよい。
【００３８】
［第１実施形態の効果］
以上説明した本実施形態に係る生体情報測定装置１Ａによれば、以下の効果を奏することができる。
生体情報測定装置１Ａは、ユーザーＵＳの体と接触する接触部としての背面部２２を有するハウジング２と、ユーザーＵＳの体に向けて光を出射する発光部８４と、ユーザーＵＳの体で反射された反射光を受光する受光部８５と、受光部８５からの信号を処理して生体情報としての脈波及び脈拍数を決定する処理部７と、背面部２２に配置され、発光部８４が出射する光、及び、受光部８５に入射される光を透過する透光性部材８１Ａと、を備える。発光部８４及び受光部８５は、透光性部材８１Ａの実装面８１Ａ２に配置されている。これによれば、＋Ｚ方向側を向く面に発光部及び受光部が配置された基板が、ハウジング内に配置される場合に比べて、発光部８４及び受光部８５を保護できる他、透光性部材８１Ａと発光部８４及び受光部８５との間の距離を短くすることができる。このため、ユーザーＵＳの体に発光部８４から出射される光の減衰、及び、ユーザーＵＳの体にて反射されて受光部８５によって受光される光の減衰を抑制できる。従って、生体情報測定装置１Ａによる脈波及び脈拍数の検出及び測定精度を向上させることができ、これら脈波及び脈拍数の正確性を向上させることができる。また、透光性部材８１Ａと発光部８４及び受光部８５との間の距離を短くすることができることから、センサー８Ａの薄型化、ひいては、生体情報測定装置１Ａの薄型化を図ることができる。
【００３９】
透光性部材８１Ａは、ユーザーＵＳの体と接触可能な第１面としての接触面８１Ａ１と、接触面８１Ａ１と向かい合い、発光部８４及び受光部８５が配置された第２面としての実装面８１Ａ２と、を有する。これによれば、発光部８４及び受光部８５がハウジング２の外部に露出されることを確実に抑制できる。従って、発光部８４及び受光部８５を保護できる。また、接触面８１Ａ１は、ユーザーＵＳの体と接触可能であるので、透光性部材８１ＡとユーザーＵＳの体との間の距離も短くすることができる。このため、発光部８４からユーザーＵＳの体に到達する光の光路長、及び、ユーザーＵＳの体から受光部８５に到達する光の光路長を短くすることができるので、上記した光の減衰を一層抑制できる。従って、生体情報測定装置１Ａによる生体情報（脈波及び脈拍数）の測定精度を一層向上させることができ、測定された生体情報の正確性を一層向上させることができる。
【００４０】
測定装置１Ａは、処理部７と実装面８１Ａ２とを接続する接続部ＡＭを有する。実装面８１Ａ２は、接続部ＡＭと発光部８４及び受光部８５とを電気的に接続する電極パターン８２を有する。これによれば、発光部８４への電力の供給及び受光部８５からの検出信号の伝達を、実装面８１Ａ２に位置する電極パターン８２によって行うことができる。これにより、発光部８４及び受光部８５に対してケーブルを介して電力供給及び信号伝達を行う場合に比べて、測定装置１Ａの構成を簡略化できる。従って、センサー８Ａの組立を容易に実施できる他、センサー８Ａ、ひいては、測定装置１Ａの薄型化を図ることができる。また、電極パターン８２と接続される接続部ＡＭを介して、発光部８４及び受光部８５と処理部７とを確実に接続できる。
【００４１】
発光部８４は、光を出射する発光素子８４１と、発光素子８４１を覆い、発光素子８４１から入射した光をユーザーＵＳの体に向けて反射する凹曲面８４２１を有する反射部材８４２と、を有する。これによれば、発光素子８４１にて生じた光を、ユーザーＵＳの体に効果的に照射できる。従って、発光素子８４１にて生じた光の利用効率を高めることができる。また、反射部材８４２は、発光素子８４１を覆うので、発光素子８４１から出射された光の一部が、ハウジング２内の部品に入射されてしまうことを抑制できる。従って、不要な光が入射されることによる部品の劣化を抑制できる。
【００４２】
透光性部材８１Ａは、ガラス基板である。これによれば、ガラス基板は一般的に強度が高いので、ユーザーＵＳの体に接触する透光性部材８１Ａの形状を維持しやすくすることができる。また、ガラス基板は、一般的に安価であるので、上記センサー８Ａ、ひいては、測定装置１Ａの製造コストの上昇を抑制できる。
【００４３】
［第２実施形態］
次に、本発明の第２実施形態について説明する。
本実施形態に係る生体情報測定装置は、第１実施形態にて示した生体情報測定装置１Ａと同様の構成を有するが、透光性部材の構成が異なる。なお、以下の説明では、既に説明した部分と同一又は略同一である部分については、同一の符号を付して説明を省略する。
【００４４】
図７は、本実施形態に係る生体情報測定装置１Ｂが有するセンサー８Ｂを光出射側（背面側）から見た図である。なお、図７においては、後述する遮蔽領域ＳＡをハッチングして示している。
本実施形態に係る生体情報測定装置１Ｂは、センサー８Ａに代えて、生体情報検出センサーとしてのセンサー８Ｂを有する他は、上記生体情報測定装置１Ａと同様の構成及び機能を有する。また、センサー８Ｂは、図７に示すように、透光性部材８１Ａに代えて透光性部材８１Ｂを有する他は、上記センサー８Ａと同様の構成及び機能を有する。すなわち、センサー８Ｂは、当該センサー８Ｂが有する導電部８３と接続される接続部ＡＭを介して、センサー８Ｂによる検出信号（脈波信号）を処理する回路基板である処理部７と接続されている。
【００４５】
透光性部材８１Ｂは、上記第１実施形態にて例示した透光性部材８１Ａと同様にガラス基板によって構成されている。透光性部材８１Ｂは、ユーザーＵＳの被接触部位に接触する接触面８１Ｂ１（第１面）と、図７では図示を省略するが、接触面８１Ｂ１と向かい合う面である実装面（接触面８１Ｂ１とは反対側の面であり第２面）とを有する。透光性部材８１Ｂの実装面には、上記実装面８１Ａ２と同様に、電極パターン８２及び導電部８３が形成され、当該電極パターン８２と電気的に接続されるように、発光部８４及び受光部８５が配設される。このように実装面に配置された発光部８４及び受光部８５は、封止部８６によって封止される。
【００４６】
ここで、透光性部材８１Ｂの実装面に位置する発光部８４から出射された光、及び、ユーザーＵＳの体にて反射された光は、透光性部材８１Ｂを通過可能である。しかしながら、透光性部材８１Ｂの全面が光を通過可能であると、ハウジング２の内部をユーザーＵＳが視認可能となり、測定装置の外観が損なわれるおそれがある。
これに対し、本実施形態に係る測定装置１Ｂでは、透光性部材８１Ｂにおいて発光部８４から出射された光が通過する通過領域ＴＡ１、及び、ユーザーＵＳの体にて反射されて受光部８５に入射される光が通過する通過領域ＴＡ２以外の領域は、光を通過させない遮蔽領域ＳＡ（図７においてハッチングが付された領域）となっている。これにより、ハウジング２内をユーザーが視認できないように、センサー８Ｂは構成されている。
【００４７】
なお、遮蔽領域ＳＡは、例えば、接触面８１Ｂ１において上記ハウジング２の開口部２２２から露出する領域のうち通過領域ＴＡ１，ＴＡ２以外の領域に、光を遮蔽する塗料を塗布したり、遮光膜を形成したりする等して形成できる。
また、非透光性材料により構成され、通過領域ＴＡ１，ＴＡ２に応じた開口部が形成された基板を透光性部材８１Ｂに代えて採用してもよい。この場合、各開口部内に、透光性材料が配置されていてもよい。
【００４８】
［第２実施形態の効果］
以上説明した本実施形態に係る生体情報測定装置１Ｂによれば、上記生体情報測定装置１Ａと同様の効果を奏することができる他、以下の効果を奏することができる。
透光性部材８１Ｂは、発光部８４から出射された光が通過する通過領域ＴＡ１、及び、受光部８５に入射する光の通過領域ＴＡ２のそれぞれを除く位置に設けられ、光を遮蔽する遮蔽領域ＳＡを有する。これによれば、遮蔽領域ＳＡによって、ハウジング２内を観察されることを抑制できる。従って、生体情報測定装置１Ｂの外観を良好にできる。
【００４９】
［第３実施形態］
次に、本発明の第３実施形態について説明する。
本実施形態に係る生体情報測定装置は、第１実施形態にて示した生体情報測定装置１Ａと同様の構成を有するが、レンズとして機能する凸部及び凹部を透光性部材が有する点で、当該生体情報測定装置１Ａと相違する。なお、以下の説明では、既に説明した部分と同一又は略同一である部分については、同一の符号を付して説明を省略する。
【００５０】
図８は、本実施形態に係る生体情報測定装置１Ｃが有するセンサー８Ｃの一部を光出射側（＋Ｚ方向側）から見た模式図であり、図９は、センサー８Ｃの発光部８４から出射された光の光路、及び、受光部８５によって受光される光の光路を示す模式図である。
本実施形態に係る生体情報測定装置１Ｃは、センサー８Ａに代えて、生体情報検出センサーとしてのセンサー８Ｃを有する他は、上記生体情報測定装置１Ａと同様の構成及び機能を有する。また、センサー８Ｃは、図８及び図９に示すように、透光性部材８１Ａに代えて透光性部材８１Ｃを有する他は、上記センサー８Ａと同様の構成を有する。すなわち、センサー８Ｃは、センサー８Ｃが有する導電部８３と接続される接続部ＡＭを介して、センサー８Ｃによる検出信号（脈波信号）を処理する回路基板である処理部７と接続されている。
【００５１】
透光性部材８１Ｃは、透光性部材８１Ａと同様にガラス基板によって構成されており、ユーザーＵＳの被接触部位と接触する。すなわち、透光性部材８１Ｃは、ユーザーの体と接触する接触部材である。透光性部材８１Ｃは、ハウジング２外に露出して、ユーザーの体と接触可能な接触面８１Ｃ１（第１面）と、当該接触面８１Ｃ１とは反対側の面である実装面８１Ｃ２（第２面）と、を有する。
これらのうち、実装面８１Ｃ２には、上記透光性部材８１Ａの実装面８１Ａ２と同様に、電極パターン８２が形成される他、導電部８３、発光部８４及び受光部８５が配置される。また、実装面８１Ｃ２には、図示を省略するが、これら発光部８４及び受光部８５を覆う封止部８６が形成されている。なお、図８及び図９においては、発光部８４を構成する反射部材８４２の図示を省略している。
【００５２】
接触面８１Ｃ１は、接触面８１Ａ１，８１Ｂ１と同様に、ユーザーの体表面ＢＳ（図９参照）と接触する。この接触面８１Ｃ１には、複数の凸部８１Ｃ３及び複数の凹部８１Ｃ４が設けられている。
【００５３】
複数の凸部８１Ｃ３は、図８に示すように、透光性部材８１Ｃにおいて発光部８４から出射された光が通過する通過領域ＴＡに配置されている。詳述すると、複数の凸部８１Ｃ３は、センサー８Ｃの接触面８１Ｃ１から実装面８１Ｃ２に向かう方向である−Ｚ方向に沿って見て、発光素子８４１と重なる位置に、それぞれ隣接して配置されている。すなわち、透光性部材８１Ｃは、接触面８１Ｃ１の通過領域ＴＡに位置し、＋Ｚ方向側から見て発光部８４と重なる凸部８１Ｃ３を有する。
これら凸部８１Ｃ３は、図９に示すように、＋Ｚ方向（第２面である実装面８１Ｃ２から第１面である接触面８１Ｃ１に向かう方向）に突出しており、それぞれ凸レンズとして機能する。そして、各凸部８１Ｃ３は、発光部８４（発光素子８４１）から入射される光を散乱させる。換言すると、各凸部８１Ｃ３は、発光部８４から入射された光をユーザーＵＳの体の一部である体表面ＢＳに向けて拡散出射する。
なお、図８及び図９には、複数の凸部８１Ｃ３が発光素子８４１に応じて配置された例が示されているが、＋Ｚ方向側から見て、発光素子８４１及び反射部材８４２と重なる位置に、複数の凸部８１Ｃ３、或いは、１つの凸部８１Ｃ３が設けられていてもよい。すなわち、接触面８１Ｃ１において、発光部８４から出射された光が通過する領域内に、少なくとも１つの凸部８１Ｃ３が設けられていればよい。
【００５４】
複数の凹部８１Ｃ４は、図８に示すように、透光性部材８１Ｃにおいて＋Ｚ方向側から受光部８５に入射される光が通過する通過領域ＴＡに配置されている。詳述すると、複数の凹部８１Ｃ４は、センサー８Ｃの接触面８１Ｃ１から実装面８１Ｃ２に向かう方向である−Ｚ方向に沿って見て、受光部８５と重なる位置に、それぞれ隣接して配置されている。すなわち、透光性部材８１Ｃは、接触面８１Ｃ１の通過領域ＴＡに位置し、＋Ｚ方向側から見て受光部８５と重なる凹部８１Ｃ４を有する。
これら凹部８１Ｃ４は、図９に示すように、−Ｚ方向（第１面である接触面８１Ｃ１から第２面である実装面８１Ｃ２に向かう方向）に窪んでおり、それぞれ凹レンズとして機能する。そして、各凹部８１Ｃ４は、ユーザーＵＳの体にて反射された光を受光部８５に集光する。
なお、図８及び図９には、複数の凹部８１Ｃ４が受光部８５に応じて配置された例が示されているが、＋Ｚ方向側から見て、受光部８５と重なる位置に、１つの凹部８１Ｃ４が設けられていてもよい。すなわち、接触面８１Ｃ１において、受光部８５に入射される光が通過する領域内に、少なくとも１つの凹部８１Ｃ４が設けられていればよい。
【００５５】
また、本実施形態では、複数の凸部８１Ｃ３及び複数の凹部８１Ｃ４は、それぞれ透光性部材８１Ｃと一体的に形成されている。しかしながら、これに限らず、例えば凸部及び凹部が形成されたシートを接触面８１Ｃ１に配置する等して、透光性部材８１Ｃに凸部８１Ｃ３及び凹部８１Ｃ４を設けてもよい。
【００５６】
［第３実施形態の効果］
以上説明した本実施形態に係る生体情報測定装置１Ｃによれば、上記生体情報測定装置１Ａと同様の効果を奏することができる他、以下の効果を奏することができる。
センサー８Ｃを構成する透光性部材８１Ｃは、実装面８１Ｃ２（第２面）から接触面８１Ｃ１（第１面）へ向かう方向である＋Ｚ方向に突出し、接触面８１Ｃ１から実装面８１Ｃ２へ向かう方向である−Ｚ方向に沿って見て発光部８４と重なる凸部８１Ｃ３を有する。これによれば、凸部８１Ｃ３を、発光部８４から出射された光に作用する凸レンズとして機能させることができる。このため、凸部８１Ｃ３のレンズ効果によって、発光部８４から出射された光を拡散させることができる。従って、発光部８４から出射された光をユーザーＵＳの体に効率よく出射でき、生体情報である脈波及び脈拍数の測定精度を高めることができる。
【００５７】
センサー８Ｃを構成する透光性部材８１Ｃは、接触面８１Ｃ１（第１面）から実装面８１Ｃ２（第２面）へ向かう方向に窪み、接触面８１Ｃ１から実装面８１Ｃ２へ向かう方向である−Ｚ方向に沿って見て受光部８５と重なる凹部８１Ｃ４を有する。これによれば、凹部８１Ｃ４を、受光部８５に入射される光に作用する凹レンズとして機能させることができる。このため、ユーザーＵＳの体にて反射されて拡散される光を、凹部８１Ｃ４のレンズ効果によって受光部８５に集光できる。従って、受光部８５に光を効率よく入射させることができ、生体情報である脈波及び脈拍数の測定精度を高めることができる。
【００５８】
また、凸部８１Ｃ３及び凹部８１Ｃ４は、透光性部材８１ＣにおいてユーザーＵＳの体と接触する接触面８１Ｃ１に位置する。このことによって、体表面ＢＳに接触する透光性部材８１Ｃの汗等の排水性を高めることができる。
【００５９】
ここで、凸部８１Ｃ３が、＋Ｚ方向側から見て発光部８４全体と重なるように１つだけ設けられている場合には、当該凸部８１Ｃ３の突出量が大きくなって、透光性部材の厚さ寸法が大きくなる。また、凹部８１Ｃ４が、＋Ｚ方向側から見て受光部８５全体と重なるように１つだけ設けられている場合には、当該凹部８１Ｃ４の没入量が大きくなり、強度確保のためには、透光性部材の厚さ寸法を大きくする必要が生じる。
これに対し、本実施形態では、透光性部材８１Ｃには、＋Ｚ方向側から見て発光部８４とそれぞれ重なる複数の凸部８１Ｃ３と、受光部８５とそれぞれ重なる複数の凹部８１Ｃ４と、が設けられている。これによれば、各凸部８１Ｃ３の突出量、及び、各凹部８１Ｃ４の没入量を小さくすることができる。従って、凸部８１Ｃ３及び凹部８１Ｃ４がそれぞれ１つずつ設けられている場合に比べて、透光性部材８１Ｃの厚さ寸法が大きくなることを抑制できる。
【００６０】
［実施形態の変形］
本発明は、上記各実施形態に限定されるものではなく、本発明の目的を達成できる範囲での変形、改良等は本発明に含まれるものである。
上記各実施形態では、生体情報測定装置１Ａ，１Ｂ，１Ｃは、ユーザーＵＳの手首等の被装着部位ＵＳ１に装着されて利用されるウェアラブル機器として説明した。しかしながら、これに限らず、生体情報測定装置の装着部位は、手首に限らず、他の部位でもよい。また、センサー８Ａ，８Ｂ，８Ｃは、生体情報を測定する機能に特化した生体情報測定装置１Ａ，１Ｂ，１Ｃに採用される場合に限らず、例えば腕時計やバンド等に設けられて、外部機器に検出結果を出力又は送信する構成としてもよい。この際、当該検出結果は、外部機器に無線で送信されてもよく、有線で送信されてもよい。
【００６１】
上記各実施形態では、センサー８Ａ，８Ｂ，８Ｃは、１つの発光部８４及び１つの受光部８５を有する構成とした。しかしながら、これに限らず、センサーは、１つの発光部８４及び複数の受光部８５を有する構成であってもよく、複数の発光部８４及び１つの受光部８５を有する構成であってもよい。更に、センサーは、少なくとも１つの発光部８４及び少なくとも１つの受光部８５の組を複数有する構成であってもよい。
【００６２】
上記各実施形態では、発光部８４は、受光部８５に対して＋Ｘ方向側に配置されていた。しかしながら、これに限らず、発光部８４及び受光部８５の位置は、それぞれ適宜変更可能である。例えば、受光部８５に対して発光部８４が、−Ｘ方向側に配置されていてもよく、＋Ｙ方向側又は−Ｙ方向側に配置されていてもよい。また、背面部２２に形成された開口部２２２内の発光部８４及び受光部８５の位置もそれぞれ適宜変更可能である。例えば、発光部８４及び受光部８５のいずれかが、開口部２２２の中央に配置されていてもよい。
【００６３】
上記各実施形態では、センサー８Ａ，８Ｂ，８Ｃと回路基板である処理部７とを接続する接続部ＡＭは、フレキシブル基板であるとした。しかしながら、これに限らず、生体情報測定装置は、ケーブルやコネクターによって、センサーと処理部とが接続される構成であってもよく、リジッド基板であってもよい。すなわち、センサーと処理部との接続態様は、上記に限らない。
【００６４】
上記各実施形態では、導電部８３と発光部８４及び受光部８５とを接続する電極パターン８２は、透光性部材８１Ａ，８１Ｂ，８１Ｃの各実装面（第２面）に形成されるとした。しかしながら、これに限らず、発光部８４への電力供給、及び、受光部８５からの検出信号の伝達を行うことができれば、接続部ＡＭと接続される電力供給線及び信号伝達線は、実装面に形成された電極パターンに限らない。例えば、電線等によって導電部８３と発光部８４及び受光部８５とを接続してもよい。すなわち、導電部８３と発光部８４及び受光部８５との接続態様は、上記に限らない。
【００６５】
上記各実施形態では、発光部８４は、光を出射する発光素子８４１と、−Ｚ方向側から見て発光素子８４１を覆い、発光素子８４１から入射された光をユーザーＵＳの体に向けて反射する反射部材８４２とを有するとした。しかしながら、これに限らず、反射部材８４２は無くてもよい。また、発光素子８４１と受光部８５との間に、当該発光素子８４１から出射された光を遮蔽して、受光部８５に発光素子８４１から出射された光が直接入射されることを抑制する遮光部が設けられていてもよい。更に、凹曲面を有する反射部材８４２に限らず、反射部材の構成は、適宜変更してもよい。例えば、反射部材として、発光素子８４１を覆う樹脂膜や金属膜、或いは、白色又は銀色のモールド材を採用してもよい。この場合の各膜やモールド材の色は、入射光を効率よく反射できればよく、白色又は銀色を例示できる。
【００６６】
上記各実施形態では、透光性部材８１Ａ，８１Ｂ，８１Ｃは、ガラス基板であるとした。しかしながら、これに限らず、上記のように、サファイア基板及び樹脂基板等、他の透光性部材であってもよい。
また、各透光性部材８１Ａ，８１Ｂ，８１Ｃにおける第１面である接触面８１Ａ１，８１Ｂ１，８１Ｃ１は、ユーザーＵＳの体と直接接触しなくてもよく、接触面に設けられるシートや、接触面に形成される層構造を介して、ユーザーＵＳの体と接触してもよい。すなわち、透光性部材は、センサーが生体情報を検出又は測定する際に、ユーザーＵＳの体と対向するように設けられていればよい。
更に、透光性部材における第１面としての接触面は、平坦でなくてもよく、ユーザーＵＳの体を押圧可能な曲面状に形成されていてもよい。例えば、接触面は、ユーザーＵＳの体に向かう凸曲面、すなわち、発光部から出射された光が進行する方向に突出した凸曲面であってもよい。同様に、透光性部材における第２面としての実装面も、平坦でなくてもよい。更に、透光性部材（接触面）は、必ずしもユーザーの体に接触しなくてもよい。
【００６７】
上記各実施形態では、発光部８４及び受光部８５は、透光性部材８１Ａ，８１Ｂ，８１Ｃの実装面に、バンプＢＰによって取り付けられるとした。しかしながら、これに限らず、発光部８４及び受光部８５の実装面への実装態様は、上記に限定されない。
また、センサー８Ａ，８Ｂ，８Ｃは、封止樹脂によって構成されて発光部８４及び受光部８５を覆う封止部８６を有するとした。しかしながら、これに限らず、封止部８６は無くてもよい。なお、このような封止部８６があれば、センサー８Ａ，８Ｂ，８Ｃの強度（透光性部材８１Ａ，８１Ｂ，８１Ｃの強度）を高めることができるので、透光性部材８１Ａ，８１Ｂ，８１Ｃの薄型化を図ることができる。この他、受光部８５に入射される光の全反射を抑制できるので、受光部８５による受光光量を増加させることができる。
【００６８】
上記各実施形態では、接続部ＡＭにＡＦＥであるアナログ回路ＡＭ１が実装されているとした。しかしながら、これに限らず、当該アナログ回路ＡＭ１は、例えば透光性部材８１Ａ，８１Ｂ，８１Ｃの実装面（第２面）に配設又は支持されていてもよく、処理基板である処理部７に配設又は支持されていてもよい。すなわち、アナログ回路ＡＭ１は、センサー８Ａ，８Ｂ，８Ｃに含まれてもよく、また、含まれなくてもよい。
【００６９】
上記第１実施形態では、センサー８Ａにおける透光性部材８１Ａの第１面である接触面８１Ａ１は、略平坦であり、透光性部材８１Ａは、全体に通過領域ＴＡが設けられているとした。上記第２実施形態では、センサー８Ｂにおける透光性部材８１Ｂの第１面である接触面８１Ｂ１は、発光部８４及び受光部８５に応じて通過領域ＴＡ１，ＴＡ２が設けられ、これら通過領域ＴＡ１，ＴＡ２を除く領域は、遮蔽領域ＳＡであるとした。上記第３実施形態では、センサー８Ｃにおける透光性部材８１Ｃの第１面である接触面８１Ｃ１は、＋Ｚ方向側から見て発光部８４と重なる少なくとも１つの凸部８１Ｃ３と、＋Ｚ方向側から見て受光部８５と重なる少なくとも１つの凹部８１Ｃ４とを有するとした。これら実施形態にて示した構成は、互いに組み合わされてもよい。例えば、透光性部材８１Ｂの通過領域ＴＡ１に少なくとも１つの凸部８１Ｃ３又は凹部が配置され、通過領域ＴＡ２に少なくとも１つの凹部８１Ｃ４又は凸部が配置され、これら通過領域ＴＡ１，ＴＡ２以外の領域が遮蔽領域ＳＡとなっていてもよい。また、後述するように、通過領域ＴＡ１，ＴＡ２に配置される凸部又は凹部は、透光性部材の接触面に位置する場合に限らず、第２面である実装面に位置していてもよい。
【００７０】
上記第３実施形態では、凸部８１Ｃ３は、発光部８４から入射される光を拡散させて出射するとし、凹部８１Ｃ４は、ユーザーＵＳの体にて反射された光を受光部８５に集光するとした。しかしながら、これに限らず、＋Ｚ方向側から見て、発光部８４と重なる少なくとも１つの凹部８１Ｃ４が配置されていてもよく、受光部８５と重なる少なくとも１つの凸部８１Ｃ３が配置されていてもよい。また、上記通過領域ＴＡ，ＴＡ１，ＴＡ２において、透光性部材の実装面に、発光部８４と重なる凸部又は凹部が配置され、受光部８５と重なる凸部又は凹部が配置される構成としてもよい。この他、発光部８４及び受光部８５の一方には、凸部及び凹部のいずれも配置されていない構成としてもよい。なお、＋Ｚ方向側から見て発光部８４と重なる凹部が配置されている場合には、ユーザーＵＳの体に光を集光できる。
【００７１】
上記各実施形態では、センサー８Ａ，８Ｂ，８Ｃは、生体情報の１つとして脈波を検出し、処理部７は、センサー８Ａ，８Ｂ，８Ｃによる検出信号（脈波信号）に基づいて、生体情報の他の１つである脈拍数を解析及び決定するとした。すなわち、生体情報測定装置１Ａ，１Ｂ，１Ｃは、脈波及び脈拍数を測定するとした。しかしながら、これに限らず、本発明の生体情報測定装置が測定可能な生体情報は、上記に限定されない。例えば、生体情報測定装置は、センサーによる検出結果に基づいて、活動量や消費カロリー、最大酸素摂取量（ＶＯ２ｍａｘ）を測定してもよい。
更に、生体情報測定装置は、ユーザーの体動情報を検出可能な加速度センサー等の運動センサーや、位置情報を計測可能な位置センサー（例えばＧＰＳセンサー）を備えていてもよい。
【符号の説明】
【００７２】
１Ａ，１Ｂ，１Ｃ…生体情報測定装置、２…ハウジング、２２…背面部（接触部）、７…処理部、８Ａ，８Ｂ，８Ｃ…センサー（生体情報検出センサー）、８１Ａ，８１Ｂ，８１Ｃ…透光性部材、８１Ａ１，８１Ｂ１，８１Ｃ１…接触面（第１面）、８１Ａ２，８１Ｃ２…実装面（第２面）、８２…電極パターン、８３…導電部、８４…発光部、８４１…発光素子、８４２…反射部材、８４２１…凹曲面、８５…受光部、８６…封止部、ＡＭ…接続部、ＳＡ…遮蔽領域、ＴＡ，ＴＡ１，ＴＡ２…通過領域。
【図１】
2019111193.tif 000003
【図２】
2019111193.tif 000004
【図３】
2019111193.tif 000005
【図４】
2019111193.tif 000006
【図５】
2019111193.tif 000007
【図６】
2019111193.tif 000008
【図７】
2019111193.tif 000009
【図８】
2019111193.tif 000010
【図９】
2019111193.tif 000011